(57)【要約】【課題】従来の自動引戸では、施工性や安全性の面から複数の作業者が必要であると共に、作業性を高めることが難しいという問題点があった。【解決手段】躯体開口部Ｈを開閉する扉体２と、躯体開口部Ｈの上辺に沿って固定する取付部材４と、躯体開口部Ｈの上辺に沿って扉体２を案内するレール体５を備え、取付部材４が、その下側にレール体５を保持する保持部４Ａを備え、レール体５が、保持部４Ａに対して見込み方向から係合する係合部１５Ａと、保持部４Ａに係合部１５Ａを係合させた状態で取付部材４の見付け面に当接する固定部１５Ｂを備え、固定部１５Ｂに設けたねじＢ３により取付部材４にレール体５を固定した構成とすることで、一人の作業者でも安全に且つ容易に施工することを可能にした。【選択図】図３
2014098247.tif 000002
【特許請求の範囲】
【請求項１】
躯体開口部を開閉する扉体と、躯体開口部の上辺に沿って固定する取付部材と、躯体開口部の上辺に沿って扉体を案内するレール体を備え、
取付部材が、その下側にレール体を保持する保持部を備え、
レール体が、保持部に対して見込み方向から係合する係合部と、保持部に係合部を係合させた状態で取付部材の見付け面に当接する固定部を備え、
固定部に設けたねじにより取付部材にレール体を固定したことを特徴とする引戸。
【請求項２】
レール体が、係合部及び固定部を有する連結部材と、扉を案内するレール部材とを上下に連結して成る構造であることを特徴とする請求項１に記載の引戸。
【発明の詳細な説明】
【技術分野】
【０００１】
本発明は、引戸の改良に関し、とくに、自動引戸に好適な引戸に関するものである。
【背景技術】
【０００２】
この種の引戸としては、例えば、リニア式自動引戸の上枠の構造として特許文献１に記載されているものがある。特許文献１に記載の上枠の構造は、引戸の上端部に永久磁石を取り付けると共に、引戸枠の上枠を複数の枠部材で構成している。これらの枠部材は、相互間に複数の中空スペースを独立して形成し、これらの中空スペースに、電機子コイルやその配線を収納する。そして、上枠は、電機子コイルを収納した中空スペースの下方に、引戸の上端部を案内するカバー部材を取り付け、引戸の上端部に設けた永久磁石と上枠に収納した電機子コイルとでリニア式の駆動装置を構成している。
【０００３】
上記のリニア式自動引戸の上枠の構造は、電機子コイルを上枠に収納することで電源接続部が可動しない構成としており、電気工事を容易にすると共に、引戸の大工工事と電気工事の分離施工を可能にして、施工性の向上を図ったものである。
【先行技術文献】
【特許文献】
【０００４】
【特許文献１】特許第３６５４０９８号公報
【発明の概要】
【発明が解決しようとする課題】
【０００５】
ところで、上記したような従来の引戸の構造では、引戸の大工工事と電気工事を分離施工することにより施工性の向上を図っているが、これらの工事を同時に行うことができれば、当然のことながら施工性はさらに向上する。ところが、実際に異種の工事を同時に行うのは困難が多く、あまり現実的ではない。
【０００６】
そこで、電機子コイル等の駆動装置を予め収納した上枠を躯体開口部に取り付けることが考えられるが、このような場合には、上枠が重量物となり、施工性や安全性の面から複数の作業者が必要であるうえに、作業性を高めることが難しいという問題点があり、このような問題点を解決することが課題であった。
【０００７】
本発明は、上記従来の状況に鑑みて成されたもので、一人の作業者でも安全に且つ容易に施工することができる引戸を提供することを目的としている。
【課題を解決するための手段】
【０００８】
本発明に係わる引戸は、請求項１において、躯体開口部を開閉する扉体と、躯体開口部の上辺に沿って固定する取付部材と、躯体開口部の上辺に沿って扉体を案内するレール体を備え、取付部材が、その下側にレール体を保持する保持部を備え、レール体が、保持部に対して見込み方向から係合する係合部と、保持部に係合部を係合させた状態で取付部材の見付け面に当接する固定部を備え、固定部に設けたねじにより取付部材にレール体を固定した構成としており、上記構成をもって従来の課題を解決するための手段としている。
【０００９】
本発明に係わる引戸は、請求項２において、レール体が、係合部及び固定部を有する連結部材と、扉を案内するレール部材とを上下に連結して成る構造であることを特徴としている。
【発明の効果】
【００１０】
本発明の請求項１に係わる引戸によれば、躯体開口部の上辺に固定した取付部材の保持部に、レール体の係合部を係合することで、そのレール体を一時的に仮置きすることができる。また、保持部に見込み方向から係合部を係合させた状態で、取付部材の見付け面に固定部を当接させ、この固定部に設けたねじにより取付部材にレール体を固定するので、レール体の仮置き作業とレール体の固定作業を同じ方向から行うことができる。これにより、本発明の引戸は、一人の作業者でも安全に且つ容易に施工することができ、レール体が重量物を収納したものであっても、その作業性は非常に良好である。
【００１１】
本発明の請求項２に係わる引戸によれば、請求項１と同様の効果を得ることができるうえに、例えば自動引戸において、駆動機構の一部若しくは全部を収納した既存の部材を用いる場合に、その既存の部材と連結部材とを組み合わせて、係合部及び固定部を有するレール体を容易に構成することができ、設計の自由度が増すなどの利点がある。
【図面の簡単な説明】
【００１２】
【図１】本発明に係わる引戸の一実施形態を説明する正面図である。
【図２】図１中のＡ−Ａ線矢視に基づく垂直断面図である。
【図３】図２中の引戸上部を拡大した断面図である。
【図４】図１中のＢ−Ｂ線矢視に基づく水平断面図（Ａ）及び正面断面図（Ｂ）である。
【図５】躯体に取付部材を固定した状態を説明する断面図（Ａ）及びレール体を分解状態にして説明する断面図（Ｂ）である。
【図６】図５に続いて取付部材にレール体を固定した状態を説明する断面図である。
【発明を実施するための形態】
【００１３】
以下、図面に基づいて、本発明の引戸の一実施形態を説明する。図１〜図４に示す引戸１は、屋内に設置される片引き式の自動引戸であって、便宜上、図１の正面側である図２及び図３の左側、並びに図４（Ａ）の下側を室外側とし、その反対側を室内側として説明する。
【００１４】
引戸１は、躯体開口部Ｈを開閉する扉体２と、固定の袖部３と、躯体開口部Ｈの上辺に沿って固定する取付部材４と、躯体開口部Ｈの上辺に沿って扉体２を案内するレール体５を備えている。躯体開口部Ｈは、上辺に沿って上枠材（鴨居）５１を備えると共に、左右の竪辺及び袖部３の竪辺に沿って竪枠材５２〜５４を夫々備えており、上枠材５１及び左右の竪枠材５２，５３の室内外の見付け面には、図２に示す額縁５５が設けてある。
【００１５】
取付部材４は、概略角棒状のホロー材（中空材）であり、図３に拡大して示す断面において、その下側にレール体５を保持する保持部４Ａを備えている。本実施形態の保持部４Ａは、室内方向に向いた断面Ｌ字形の鈎状を成しており、水平片が、先端方向に上り勾配（θ１）を有している。
【００１６】
また、本実施形態の取付部材４は、図４に示すように、二本に分割されており、これらを直列に配置して、図２及び図３に示すねじＢ１により上枠材５１に固定する。さらに、分割された取付部材４の両端部及び中間部には、下向きに開放した断面角Ｃ字形の裏板６が固定してある。
【００１７】
レール体５は、保持部４Ａに対して見込み方向（図３中で右から左の方向）から係合する係合部１５Ａと、保持部４Ａに係合部１５Ａを係合させた状態で取付部材４の見付け面に当接する固定部１５Ｂを備えている。このレール体５は、係合部１５Ａ及び固定部１５Ｂを有する連結部材１５と、扉２を案内するレール部材２５とを上下に連結して成る構造になっている。
【００１８】
レール体５を構成する連結部材１５は、概略角棒状のホロー材であり、図３に拡大して示す断面において、室外方向に突出した係合部１５Ａと、室内側の見付け面を上方に延長した起立片状の固定部１５Ｂを備えている。係合部１５Ａは、取付部材４の保持部４Ａに対応して、先端方向に下り勾配（θ１）を有している。固定部１５Ｂは、取付部材４の室内側の見付け面に当接する。
【００１９】
レール部材２５は、下向きに開放した断面角Ｃ字形の部材であって、相対向する両片の中間部に、仕切板１０を嵌入するための溝部２５Ａ，２５Ａを有すると共に、同両辺の下端部に、互いに内側に突出したレール部２５Ｂ，２５Ｂを有している。
【００２０】
レール部材２５は、溝部２５Ａよりも上側の空間に、リニアモータを構成する電機子コイル１１やコントローラ１２が収納してあると共に、溝部２５Ａよりも下側の空間に、リニアモータを構成する磁石ユニット１３と、磁石ユニット１３の両端を保持するローラユニット１４，１４が収納してある。なお、溝部２５Ａに設ける仕切板１０は、レール部材２５の長手方向全体に設けても良いが、必要に応じて複数箇所に配置することができ、扉体２を開放した際に電機子コイル１１や配線類を覆い隠すものである。
【００２１】
磁石ユニット１３は、複数の永久磁石を極性が交互に異なるようにして直列配置したものである。ローラユニット１４は、磁石ユニット１３の端部を保持するブラケット１４Ａの両側に、レール部材２５のレール部２５Ｂ，２５Ｂに沿って転動するローラ１４Ｂを二個ずつ備えると共に、ブラケット１４Ａの中央に、扉体２の連結部１４Ｃを垂下状態に備えている。
【００２２】
ここで、取付部材４及び連結部材１５は、図３に示すように、ほぼ同等の見込み寸法（幅寸法）を有している。また、レール部材２５は、取付部材４及び連結部材１５よりも大きい見込み寸法を有し、図示例では、取付部材４及び連結部材１５の約二倍の見込み寸法である。これにより、取付部材４の両側に隙間Ｓ１，Ｓ１が形成される。
【００２３】
なお、取付部材４及び連結部材１５は、上記の如くレール部材２５よりも断面積が小さい部材であるが、いずれもホロー材（中空材）であるため、薄肉でも充分な機械的強度を有しており、扉体２に衝撃が加わった場合でも破損や変形が生じ難いものである。
【００２４】
さらに、レール体５は、上下に配置した連結部材１５とレール部材２５とを図２及び図３に示すねじＢ２で連結するのであるが、この際、連結部材１５が、レール部材２５よりも短いものとなっている。これにより、連結部材１５は、図４（Ｂ）の左側である戸尻側でレール部材２５と端部同士を合わせることで、戸先側の竪枠材５３との間に隙間Ｓ２を形成する。他方、レール部材２５は、図４（Ａ）に示すように、水平片の戸先側の端部に、隙間Ｓ２に通じる略半円形の切欠部２５Ｃを有している。
【００２５】
さらに、図１〜図４において、符号Ｂ３は、取付部材４にレール体５を固定するねじであり、符号７及びＢ４は、幕板及びこれを固定するねじであり、符号１６は、電機子コイル１１やコントローラ１２の電源コードである。これらの取り付けについては、以下の組み立て工程で述べる。
【００２６】
上記構成を備えた引戸１を組み立てるには、図５（Ａ）に示すように、躯体開口部Ｈに上枠材５１、竪枠材５２〜５４及び額縁５５を固定した後、上枠材５１の下面に、ねじＢ１により取付部材４を固定する。その一方で、図５（Ｂ）に示すように、電機子コイル１１、磁石ユニット１３及びローラユニット１４を予め組み込んだレール部材２５と、連結部材１５とを連結して、レール体５を組み立てる。
【００２７】
次に、図６に示すように、固定した取付部材４の保持部４Ａに対して、レール体５における連結部材１５の係合部１５Ａを見込み方向（図示例では室内から室外の方向）から係合させる。このとき、取付部材４の保持部４Ａは、目視で確認し易いので、レール体５の係合部１５Ａを係合する作業も容易である。
【００２８】
上記の係合により、レール体５は、一時的に仮置きされた状態となり、作業者が手を離しても落ちることはない。また、レール体５は、保持部４Ａと係合部１５Ａとが係合した状態で、固定部１５Ｂが取付部材４の見付け面に当接するので、回動が阻止されて仮置きの姿勢が安定する。
【００２９】
しかも、本実施形態においては、保持部４Ａが先端方向に上り勾配を有し、これに対して係合部１５Ａが先端方向に下り勾配を有しているので、レール体５の重量が保持部４Ａと係合部１５Ａとの係合方向（傾斜方向）に作用して、双方の係合状態がより確実に維持され、電機子コイル１１や磁石ユニット１３等の重量物を収納したレール体５を安定して保持することができる。
【００３０】
また、本実施形態の引戸１は、保持部４Ａと係合部１５Ａとを係合させた際に、互いの先端部との間に若干の隙間を形成するように、夫々の突出長さが設定してある。これにより、両部材間の寸法誤差を吸収すると同時に、取付部材４の見付け面に連結部材１５の固定部１５Ｂが必ず当接することとなり、レール体５の見込み方向の位置決めが成される。
【００３１】
本実施形態の引戸１は、上記のようにレール体５を仮置きした状態において、電機子コイル１１とコントローラ１２との結線や、電源コード１６の接続を行うことができる。この際、本実施形態の引戸１は、レール部材２５の端部に形成した切欠部２５Ｃから電源コード１６を外部に引き出して、後に図外の電源に接続する。また、引戸１は、取付部材４の両側に形成した隙間Ｓ１，Ｓ１、及び連結部材１５と竪枠材５３との間に形成した隙間Ｓ２を作業空間として活用することができ、電気的な作業等をより一層容易にする。
【００３２】
次に、本実施形態の引戸１は、レール体５における連結部材１５の固定部１５Ｂに通したねじＢ３を取付部材４の見付け面に固定することで、取付部材４にレール体５を固定する。なお、上記ねじＢ３による固定を先に行ってから、電機子コイル１１やコントローラ１２の接続作業を行うことも当然可能である。また、固定後に接続不良等が発覚しても、レール体５を外さずに再調整することが可能である。
【００３３】
こののち、本実施形態の引戸１は、図４（Ｂ）に示すように、左右のローラユニット１４の連結部１４Ｃに扉体２の上部を連結し、次いで、各裏板６に対して、夫々のねじＢ４により室内側及び室外側に幕板７を固定する。これにより、引戸１は、扉体２を吊り下げ状態に保持すると共に、幕板７により取付部材４やレール体５を覆って良好な外観体裁を形成する。また、本実施形態の引戸１は、自動引戸であるから、図示しない接触式又は非接触式のスイッチや、対人センサなどを入力源にして扉体２を開閉動作させる。
【００３４】
上記実施形態の引戸１は、上述したように、躯体開口部Ｈの上辺に固定した取付部材４の保持部４Ａに、レール体５の係合部１５Ａを係合することで、そのレール体５を一時的に仮置きする。これにより、電気的な接続作業を容易に行うことができる。また、上記の引戸１は、保持部４Ａに見込み方向から係合部１５Ａを係合させた状態で、取付部材４の見付け面に固定部１５Ｂを当接させ、この固定部１５Ｂに設けたねじＢ３により取付部材４にレール体５を固定するので、レール体５の仮置き作業とレール体５の固定作業を同じ方向から行うことができる。
【００３５】
このようにして、引戸１は、一人の作業者でも安全に且つ容易に施工することができ、本実施形態のようにレール体５がリニアモータ等の重量物を収納したものである場合でも、その作業性は非常に良好であって、一人でも安全に且つ容易に行える。
【００３６】
また、上記の引戸１は、レール体５が、連結部材１５とレール部材２５とを上下に連結して成る構造であるから、例えば、電機子コイル１１や磁石ユニット１３等の駆動機構を予め収納した既存のレール部材２５を用いる場合に、そのレール部材２５と連結部材１５とを組み合わせて、係合部１５Ａ及び固定部１５Ｂを有するレール体５を容易に構成することができ、設計の自由度が増すなどの利点がある。
【００３７】
本発明に係わる引戸は、その構成が上記実施形態のみに限定されるものではなく、本発明の要旨を逸脱しない範囲で構成の細部を適宜変更することが可能である。例えば、本発明に係わる引戸は、片引き式のものに限らず、引き分け式や引違い式のものにも適用可能である。また、駆動装置としては、リニアモータ以外に、回転機とその回転運動を直線運動に変換する動力伝達機構を備えたものでも良い。さらに、本発明に係わる引戸は、自動引戸に限定されるものではないが、自動引戸のように重量物を収容したレール体を備えた構成において、作業性の向上を実現するうえで非常に好適である。
【符号の説明】
【００３８】
１  引戸
２  扉体
４  取付部材
４Ａ  保持部
５  レール体
１５  連結部材
１５Ａ  係合部
１５Ｂ  固定部
２５  レール部材
Ｂ１〜Ｂ４  ねじ
Ｈ  躯体開口部
【図１】
2014098247.tif 000003
【図２】
2014098247.tif 000004
【図３】
2014098247.tif 000005
【図４】
2014098247.tif 000006
【図５】
2014098247.tif 000007
【図６】
2014098247.tif 000008